(57)【特許請求の範囲】
【請求項１】
電力管理システムであって、
第１の転送端子および第１のボディーダイオードを有する第１のスイッチと、
第２の転送端子および第２のボディーダイオードを有する第２のスイッチと、
第３の転送端子および第３のボディーダイオードを有する第３のスイッチと、
前記第３のスイッチに接続され、第４のボディーダイオードを有する第４のスイッチと、
前記第１、第２、第３、および、第４のスイッチに接続され、前記第３および第４のスイッチを交互にオンにすることによって電力変換を制御するように動作可能な制御器と
を備え、
前記第１、第２、および、第３の転送端子が共通ノードに接続され、かつ、
前記第１の転送端子と前記共通ノードとの間の抵抗と、
前記第２の転送端子と前記共通ノードとの間の抵抗と、
前記第３の転送端子と前記共通ノードとの間の抵抗と
が実質的にゼロに等しく、
前記第１、第２、および、第３のボディーダイオードの陰極が前記共通ノードに接続され、前記第４のボディーダイオードの陰極が前記第３のボディーダイオードの陽極に接続されることを特徴とする電力管理システム。
【請求項２】
前記第１、第２、および、第３のスイッチのうちの１つのスイッチが、ｎチャネル金属酸化膜半導体電界効果トランジスタ（ＮＭＯＳＦＥＴ）を含み、かつ、前記スイッチの半導体基板が前記共通ノードに接続されていることを特徴とする請求項１に記載の電力管理システム。
【請求項３】
前記第１、第２、および、第３のスイッチのうちの１つのスイッチが、ｐチャネル金属酸化膜半導体電界効果トランジスタ（ＰＭＯＳＦＥＴ）を含み、かつ、前記スイッチの半導体ウェルが前記共通ノードに接続されていることを特徴とする請求項１に記載の電力管理システム。
【請求項４】
前記第１、第２、および、第３のスイッチのうちの各スイッチがＮＭＯＳＦＥＴを含み、かつ、前記第１、第２、および、第３のスイッチが共通の半導体基板上に製作され、かつ、前記共通の半導体基板が、前記第１、第２、および、第３の転送端子を含んでいることを特徴とする請求項１に記載の電力管理システム。
【請求項５】
前記第１のスイッチがＰＭＯＳＦＥＴを含み、かつ、前記第１の転送端子が、前記共通ノードに結合線を介して接続されていることを特徴とする請求項１に記載の電力管理システム。
【請求項６】
前記制御器が、前記第３および第４のスイッチを交互にオンにするためのパルス幅変調（ＰＷＭ）信号を生成するように動作可能であり、かつ、前記ＰＷＭ信号の負荷サイクルを調整することによって前記電力管理システムの出力電力を調整するように動作可能であることを特徴とする請求項１に記載の電力管理システム。
【請求項７】
前記制御器が前記第１、第２、第３、および、第４のスイッチを制御するように動作可能であることにより、前記第１のスイッチが前記共通ノードを介して電力をアダプタから負荷へと転送することを特徴とする請求項１に記載の電力管理システム。
【請求項８】
前記制御器が前記第１、第２、第３、および、第４のスイッチを制御するように動作可能であることにより、前記第２のスイッチが前記共通ノードを介して電力をバッテリパックから負荷へと転送することを特徴とする請求項１に記載の電力管理システム。
【請求項９】
前記制御器が前記第１、第２、第３、および、第４のスイッチを制御するように動作可能であることにより、前記第１および第２のスイッチが前記共通ノードを介して電力をアダプタからバッテリパックを充電するために転送することを特徴とする請求項１に記載の電力管理システム。
【請求項１０】
前記電力変換を行うように動作可能である変換回路部をさらに備えた請求項１に記載の電力管理システム。
【請求項１１】
前記制御器が前記第１、第２、第３、および、第４のスイッチを制御するように動作可能であることにより、前記変換回路部が前記共通ノードを介して入力電力を受け取り、前記入力電力をバッテリパックを充電するための出力電力に変換することを特徴とする請求項１０に記載の電力管理システム。
【請求項１２】
前記制御器が前記第１、第２、第３、および、第４のスイッチを制御するように動作可能であることにより、前記変換回路部が入力電力をバッテリパックから受け取って、前記入力電力を出力電力に変換し、そして前記共通ノードを介して前記出力電力を負荷へと転送することを特徴とする請求項１０に記載の電力管理システム。
【請求項１３】
第１のボディーダイオードを有する第１のスイッチを用いて前記第１のスイッチの第１の転送端子を介して電力を転送するステップと、
第２のボディーダイオードを有する第２のスイッチを用いて前記第２のスイッチの第２の転送端子を介して電力を転送するステップと、
共通ノードを介して第３のスイッチおよび第４のスイッチを用いて入力電力を出力電力に変換するステップであって、前記第３のスイッチが第３の転送端子および第３のボディーダイオードを有し、前記第４のスイッチが前記第３のスイッチに接続され、第４のボディーダイオードを有する、ステップと、
前記変換するステップにおいて、前記第３および第４のスイッチを交互にオンにすることによって電力変換を制御するステップと
を含み、
前記第１、第２、および、第３の転送端子が前記共通ノードに接続され、かつ、
前記第１の転送端子と前記共通ノードとの間の抵抗と、
前記第２の転送端子と前記共通ノードとの間の抵抗と、
前記第３の転送端子と前記共通ノードとの間の抵抗と
が実質的にゼロに等しく、
前記第１、第２、および、第３のボディーダイオードの陰極が前記共通ノードに接続され、前記第４のボディーダイオードの陰極が前記第３のボディーダイオードの陽極に接続されることを特徴とする方法。
【請求項１４】
前記第１、第２、および、第３のスイッチのうちの各スイッチがＮＭＯＳＦＥＴを含み、かつ、前記第１、第２、および、第３のスイッチが共通の半導体基板上に製作され、かつ、前記共通の半導体基板が、前記第１、第２、および、第３の転送端子を含んでいることを特徴とする請求項１３に記載の方法。
【請求項１５】
前記第１のスイッチがＰＭＯＳＦＥＴを含み、かつ、前記第１の転送端子が、前記共通ノードに結合線を介して接続されていることを特徴とする請求項１３に記載の方法。
【請求項１６】
前記制御するステップが、
前記第３および第４のスイッチを交互にオンにするためのパルス幅変調（ＰＷＭ）信号を生成するステップと、
前記ＰＷＭ信号の負荷サイクルを調整することによって前記電力変換を制御するステップと
を含んでいることを特徴とする請求項１３に記載の方法。
【請求項１７】
電力管理システムであって、
第１のスイッチと、第２のスイッチと、第３のスイッチと、第４のスイッチと、前記第３および第４のスイッチを交互にオンにすることによって電力変換を制御するように動作可能な制御器とを備えた集積回路であって、第１のスイッチが第１の転送端子および第１のボディーダイオードを有し、第２のスイッチが第２の転送端子および第２のボディーダイオードを有し、第３のスイッチが第３の転送端子および第３のボディーダイオードを有し、第４のスイッチが前記第３のスイッチに接続され、第４のボディーダイオードを有する集積回路と、
前記第１、第２、および、第３の転送端子に接続されたピンと
を備え、
前記第１の転送端子と前記ピンとの間の抵抗と、
前記第２の転送端子と前記ピンとの間の抵抗と、
前記第３の転送端子と前記ピンとの間の抵抗と
が実質的にゼロに等しく、
前記第１、第２、および、第３のボディーダイオードの陰極が前記共通ノードに接続され、前記第４のボディーダイオードの陰極が前記第３のボディーダイオードの陽極に接続されることを特徴とする電力管理システム。
【請求項１８】
前記第１、第２、および、第３のスイッチのうちの各スイッチがＮＭＯＳＦＥＴを含み、かつ、前記第１、第２、および、第３のスイッチが共通の半導体基板上に製作され、かつ、前記共通の半導体基板が、前記第１、第２、および、第３の転送端子を含んでいることを特徴とする請求項１７に記載の電力管理システム。
【請求項１９】
前記第１のスイッチがＰＭＯＳＦＥＴを含み、かつ、前記第１の転送端子が、前記ピンに結合線を介して接続されていることを特徴とする請求項１７に記載の電力管理システム。
【発明の詳細な説明】
【技術分野】
【０００１】
本願は、２００７年１２月２０日に出願された米国仮特許出願第６１／００８，４２７号の優先権を主張する、２００８年１２月１７日に出願され、発明の名称を「Ｐｏｗｅｒ  Ｍａｎａｇｅｍｅｎｔ  Ｓｙｓｔｅｍｓ  ｗｉｔｈ  Ｃｈａｒｇｅ  Ｐｕｍｐｓ（チャージポンプを備えた電力管理システム）」とする米国特許出願第１２／３３６，７８３の一部継続出願であり、それら両方が引用によりそのまま本願明細書に組み込まれる。
【背景技術】
【０００２】
電力管理システム、電力変換システムのような多くの分野では、集積回路が広く利用されている。
【発明の概要】
【発明が解決しようとする課題】
【０００３】
コンパクトなパッケージ、小型のプリント基板、低コスト、低電力消費であるような集積回路が求められている。
【課題を解決するための手段】
【０００４】
一実施形態において、電力管理システムが、第１のスイッチと、第２のスイッチと、第１および第２のスイッチに接続された制御器とを含んでいる。第１のスイッチは、第１の転送端子を有する。第２のスイッチは、第２の転送端子を有する。制御器は、第３のスイッチを周期的にオンにすることによって、電力変換を制御する。第１および第２の転送端子、ならびに、第３のスイッチの第３の転送端子は、共通ノードに接続されている。第１の転送端子と共通ノードとの間の抵抗と、第２の転送端子と共通ノードとの間の抵抗と、第３の転送端子と共通ノードとの間の抵抗とは、実質的にゼロに等しい。
【０００５】
下記の詳細記述が進むにつれて、また、図面を参照すれば、請求項に記載された発明の実施形態の特徴および利点が明らかになるであろう。図面中、類似の番号は類似の部分を示す。
【図面の簡単な説明】
【０００６】
【図１】本発明の一実施形態による、電力管理システムの一例のブロック図である。
【図２】本発明の一実施形態による、スイッチ制御信号と駆動信号との波形の例を示す図である。
【図３】本発明の別の実施形態による、電力管理システムの一例のブロック図である。
【図４】本発明の別の実施形態による、電源を制御する方法のフローチャートである。
【図５】本発明の一実施形態による、電力管理システムの一例の回路図である。
【図６Ａ】本発明の実施形態による、スイッチと共通ノードとの例の配線図である。
【図６Ｂ】本発明の実施形態による、スイッチと共通ノードとの例の配線図である。
【図７】本発明の一実施形態による、電力制御回路部の一例の配線図である。
【図８Ａ】本発明の実施形態による、電力制御回路部の例の配線図である。
【図８Ｂ】本発明の実施形態による、電力制御回路部の例の配線図である。
【図８Ｃ】本発明の実施形態による、電力制御回路部の例の配線図である。
【図８Ｄ】本発明の実施形態による、電力制御回路部の例の配線図である。
【図９】本発明の一実施形態による、電力管理システムを製造するステップの例を示す図である。
【図１０】本発明の一実施形態による、電力管理システムによって行われる動作の例を示す図である。
【発明を実施するための形態】
【０００７】
以下、本発明の実施形態について、詳細に説明する。本発明について、これらの実施形態に関連して記述するが、本発明をこれらの実施形態に限定する意図はないことは理解されるであろう。逆に、本発明は、代替形態、修正形態、同等形態もカバーすることが意図されており、それらは、添付の請求項によって定義される本発明の精神と範囲とに含まれうる。
【０００８】
さらに、下記の本発明の詳細記述において、本発明の完全な理解を提供することを目的として数々の特定の詳細が述べられている。しかし、当業者であれば、これらの特定の詳細がなくても本発明が実施されうることは理解するであろう。他の例では、周知の方法、手順、コンポーネント、および回路は、本発明の態様を不要に分かりにくくしないようにするため、詳細には記述していない。
【０００９】
図１は、本発明の一実施形態による、ＮＭＯＳスイッチと対応する駆動回路とを用いた電力管理システム１００の一例を示すブロック図である。電力管理システム１００は、一実施形態において、例えばＡＣ／ＤＣアダプタ１０２および／またはバッテリパック１０４のような電源から、２つのＮＭＯＳスイッチ１０６および１０８を介してシステム１１０までの電力供給を制御するように動作可能である。図１に示すように、システム１１０のための電源は、出力制御可能ＡＣ／ＤＣアダプタ１０２およびバッテリパック１０４であってもよく、バッテリパック１０４は、充電式バッテリパックであってもよい。しかし、システム１１０のための電源は、例えば固定出力のＡＣ／ＤＣアダプタ、ＤＣ「シガレット」タイプアダプタ、バッテリパックなどのような各種の電源のいずれかであってもよい。バッテリパック１０４は、例えばリチウムイオン、ニッケルカドミウム、ニッケル水素電池などのような、いずれかのタイプの充電式バッテリパックを含んでいてもよい。システム１１０は、サーバコンピュータ、デスクトップコンピュータ、ラップトップコンピュータ、携帯電話、携帯情報端末などを含む各種の電子デバイスのいずれかであってもよいが、それらに限定されない。
【００１０】
また、一実施形態では、電力管理システム１００は、ＮＭＯＳスイッチ１０６および１０８を介してバッテリパック１０４を充電するため、ＡＣ／ＤＣアダプタ１０２からの電力を制御するように動作可能である。電力管理システム１００は、一実施形態ではさらに、システム１１０の電力供給ステータスとバッテリパック１０４のステータスとを監視するように動作可能な制御ユニット１１４を含んでいる。システム１１０とバッテリパック１０４とのステータスに応じて、制御ユニット１１４は、電力管理システム１００のための作動モードを選択する。これらのモードには、デフォルトモードと、動作モードと、充電動作モードと、放電モードと、重負荷モードとが含まれるが、それらに限定されない。デフォルトモードでは、ＮＭＯＳスイッチ１０６および１０８はいずれもオフ状態にあり、システム１１０および電力管理システム１００は、それぞれのスイッチ１０６および１０８に本質的に内蔵されているボディーダイオード１０６−１または１０８−１のいずれか一方を通じてＡＣ／ＤＣアダプタ１０２またはバッテリパック１０４（どちらか出力電圧が高い方）によって電力供給される。動作モードでは、ＮＭＯＳスイッチ１０６はオンにされ、ＮＭＯＳスイッチ１０８はオフにされてもよく、従って、システム１１０は、スイッチ１０６を介してＡＣ／ＤＣアダプタ１０２によって電力供給される。充電モードでは、ＮＭＯＳスイッチ１０６および１０８はいずれもオン状態にあり、従って、ＡＣ／ＤＣアダプタ１０２は、システム１１０に電力供給すると同時にバッテリパック１０４を充電してもよい。放電モードでは、ＮＭＯＳスイッチ１０６はオフ状態にあって、ＮＭＯＳスイッチ１０８はオン状態にあり、従って、システム１１０は、バッテリパック１０４から電力を取り出すことができる。重負荷モードでは、スイッチ１０６および１０８はいずれもオン状態にあり、従って、ＡＣ／ＤＣアダプタ１０２およびバッテリパック１０４は、同時に電力を、重い負荷を有する（例えばシステム１１０の電力要求条件がＡＣ／ＤＣアダプタ１０２の出力定格より大きい）システム１１０に供給できる。
【００１１】
それぞれの作動モードでは、制御ユニット１１４は、ＮＭＯＳスイッチ１０６および１０８のコンダクタンスステータスを制御するために、かつ、ＡＣ／ＤＣアダプタ１０２の出力（例えば出力電流、出力電圧、および／または出力電力）を制御するために、制御信号（例えばスイッチ制御信号１１４−１および１１４−２）を生成してもよい。本明細書で前述したように、ＮＭＯＳスイッチは、そのソース端子での電圧レベルを上回る電圧レベルを有する駆動信号を必要とすることがある。従って、一実施形態では、ＮＭＯＳスイッチ１０６および１０８を駆動する適切な駆動信号を生成するように駆動回路１１２が構成されることにより、ＮＭＯＳスイッチ１０６および１０８が完全にオンにされたりオフにされたりしてもよい。
【００１２】
また、他の実施形態では、電力管理システム１００は、複数の電源および／または複数のバッテリパックからシステム１１０への電力供給を、複数のＮＭＯＳスイッチと対応する駆動回路とを用いて制御してもよい。さらに、複数のＮＭＯＳスイッチを用いて、電力管理システム１００は、複数のバッテリパックを同時にまたは個別に充電してもよい。
【００１３】
図１に示すように、ＮＭＯＳスイッチ１０６および１０８はそれぞれ、２つの検出抵抗器１１８および１２０を介して共通ノードに接続されている。一実施形態では、ＡＣ／ＤＣアダプタ１０２および／またはバッテリパック１０４からの電力供給は、共通ノード１１６を介してシステム１１０へ供給される。一実施形態では、ＮＭＯＳスイッチ１０６および１０８のコンダクタンスステータスは、制御ユニット１１４によって生成される２つのスイッチ制御信号１１４−１および１１４−２によって制御される。一実施形態では、駆動回路１１２を用いてスイッチ制御信号１１４−１および１１４−２がそれぞれ適切な駆動信号１１２−１および１１２−２に変換される。
【００１４】
一実施形態では、駆動回路１１２は、２つの駆動器１２４−１および１２４−２を含んでおり、それらはそれぞれ、制御ユニット１１４と、ＮＭＯＳスイッチ１０６および１０８との間に接続される。また、駆動器１２４−１および１２４−２に加えて、チャージポンプユニット１２２も駆動回路１１２に含まれている。一実施形態では、チャージポンプユニット１２２は、２つの入力端子１２２−１および１２２−２と２つの出力端子１２２−３および１２２−４とを有している。入力端子１２２−１および１２２−２はそれぞれ、ＡＣ／ＤＣアダプタ１０２の出力端子およびバッテリパック１０４の出力端子に接続されている。出力端子１２２−３および１２２−４はそれぞれ、駆動器１２４−１および１２４−２に接続されている。チャージポンプユニット１２２は、電源電圧より大きい電圧をチャージポンプユニット１２２の入力端子１２２−１および１２２−２から生成するように動作可能である。一実施形態では、チャージポンプユニット１２２の電源電圧は、ＡＣ／ＤＣアダプタ１０２の出力電圧（Ｖａｄ）およびバッテリパック１０４の出力電圧（Ｖｂａｔｔ）であってもよい。従って、チャージポンプユニット１２２は、Ｖａｄの電圧レベルより高い電圧レベルを有する出力信号を出力端子１２２−３で駆動器１２４−１に提供することができる。また、Ｖｂａｔｔの電圧レベルより高い電圧レベルを有するもう１つの出力信号を出力端子１２２−４で出力して、駆動器１２４−２に提供することもできる。従って、駆動器１２４−１および１２４−２はそれぞれ、チャージポンプユニット１２２の出力信号を受信して、ＮＭＯＳスイッチ１０６および１０８を完全にオン／オフにするのに適した出力電圧レベルを有する駆動信号１１２−１および１１２−２を生成する。駆動器１２４−１または１２４−２が制御ユニット１１４からスイッチ制御信号を受信すると、駆動器１２４−１または１２４−２は、ＮＭＯＳスイッチ１０６および１０８を駆動するのに適した電圧レベルを有する駆動信号１１２−１（または１１２−２）を提供することができる。
【００１５】
図２は、本発明の一実施形態による、電力管理システム１００におけるスイッチ制御信号（１１４−１および１１４−２）と駆動信号（１１２−１および１１２−２）との波形の例を示す図である。図２の例に示すように、スイッチ制御信号１１４−１（または１１４−２）は、２つの電圧レベルＶ０（例えば０ボルト）およびＶ１（例えば１．８ボルトまたは３．３ボルト）を有している。一実施形態では、制御ユニット１１４は、ＮＭＯＳスイッチ１０６（または１０８）をオフにするように駆動回路１１２に命令するための電圧レベルＶ０を有するスイッチ制御信号１１４−１（または１１４−２）を生成する。また、制御ユニット１１４は、ＮＭＯＳスイッチ１０６（または１０８）をオンにするように駆動回路１１２に命令するための電圧レベルＶ１を有するスイッチ制御信号１１４−１（または１１４−２）を生成してもよい。駆動回路１１２を用いて、スイッチ制御信号１１４−１（または１１４−２）を、駆動信号１１２−１（または１１２−２）に変換することができる。図２に示すように、駆動信号１１２−１は、２つの電圧レベルＶａｄ（例えば１２ボルト）およびＶｏｎ１（例えば１８ボルト）を有している。駆動信号１１２−２は、２つの電圧レベルＶｂａｔｔ（例えば４．２ボルト）およびＶｏｎ２（例えば１０ボルト）を有している。一実施形態では、ＮＭＯＳスイッチ１０６（または１０８）は、駆動信号１１２−１（または１１２−２）が電圧レベルＶａｄ（またはＶｂａｔｔ）を有する場合、完全にオフにされる。一実施形態では、駆動信号１１２−１（または１１２−２）が電圧レベルＶｏｎ１（またはＶｏｎ２）を有する場合、ＮＭＯＳスイッチ１０６（または１０８）は、完全にオンにされる。従って、チャージポンプユニット１２２と駆動器１２４−１および１２４−２との組み合わせによって、ＮＭＯＳスイッチ１０６および１０８を駆動するのに適した駆動信号１１２−１および１１２−２を提供することができる。
【００１６】
図１に戻ると、一実施形態では、チャージポンプユニット１２２は、２つの個別のチャージポンプによって実装されてもよい。例えば、入力端子１２２−１は、Ｖａｄより高い電圧レベルを有する信号を出力端子で生成する第１のチャージポンプの入力であってもよい。入力端子１２２−２は、Ｖｂａｔｔより高い電圧レベルを有する信号を出力端子１２２−４で生成する第２のチャージポンプの入力であってもよい。また、一実施形態では、チャージポンプユニット１２２は、出力信号を駆動器１２４−１または１２４−２に提供するように動作可能な単一のチャージポンプであってもよい。しかし、別の実施形態では、電力管理システム１００において複数のＮＭＯＳスイッチが採用される時に複数の駆動器に電圧信号を提供するために、複数の個別のチャージポンプがチャージポンプユニット１２２の中で用いられてもよい。さらに別の実施形態では、タイムシェアリング方式で複数の駆動器に電圧信号を交互に提供するため、単一のチャージポンプがチャージポンプユニット１２２の中で用いられてもよい。タイムシェアリング方式では、１つの駆動器のアイドル時間を他の駆動器にサービス提供するように割り当てることによって、チャージポンプユニット１２２の中の単一のチャージポンプによって提供される電圧信号を複数の駆動器が共有してもよい。
【００１７】
一実施形態では、電力管理システム１００の電源がオンになる前は、電力管理システム１００はデフォルトモードであり、その場合にＮＭＯＳスイッチ１０６および１０８はいずれもオフ状態にある。電力管理システム１００の電源がオンになると、電力をＡＣ／ＤＣアダプタ１０２および／またはバッテリパック１０４からシステム１１０へ供給することができる。ＮＭＯＳスイッチ１０６および１０８はオフ状態にあるが、電力は、ＮＭＯＳスイッチ１０６および１０８に本質的に内蔵されているボディーダイオード１０６−１および１０８−１を介して供給することができる。図１に示すように、ボディーダイオード１０６−１の陽極は本質的にＮＭＯＳスイッチ１０６のソース端子に接続され、陰極はＮＭＯＳスイッチ１０６のドレイン端子に接続されている。また、ボディーダイオード１０８−１の陽極および陰極はそれぞれ、ＮＭＯＳスイッチ１０８のソース端子およびドレイン端子に接続されている。
【００１８】
一実施形態では、ＡＣ／ＤＣアダプタ１０２が利用できない場合、システム１１０および電力管理システム１００は、バッテリパック１０４によって電源がオンにされてもよい。一実施形態では、そのような環境下では、ボディーダイオード１０８−１は、順バイアスされ、バッテリパック１０４によって生成される電流は、ボディーダイオード１０８−１を通してシステム１１０まで流れてもよい。
【００１９】
一実施形態では、ＡＣＤＣアダプタ１０２およびバッテリパック１０４は、同時に存在してもよい。従って、一実施形態では、システム１１０および電力管理システム１００は、ＡＣＤＣアダプタ１０２またはバッテリパック１０４のいずれか一方によって電力供給されてもよい。ＶａｄがＶｂａｔｔより高い場合、ボディーダイオード１０６−１は順バイアスされ、ボディーダイオード１０８−１は逆バイアスされる。結果として、ＡＣＤＣアダプタ１０２によって生成された電流は、ボディーダイオード１０６−１を通して流れることができる。従って、システム１１０および電力管理システム１００は、ＡＣＤＣアダプタ１０２から電力を取り出すことができる。そうでない場合、デフォルトモードでは、ＶａｄがＶｂａｔｔより低いならば、ボディーダイオード１０６−１は逆バイアスされ、ボディーダイオード１０８−１は順バイアスされ、そしてシステム１１０および電力管理システム１００は、バッテリパック１０４によって電力供給される。ＶａｄがＶｂａｔｔと等しいならば、システム１１０および電力管理システム１００は、ＡＣＤＣアダプタ１０２および／またはバッテリパック１０４から、ランダムに電力を取り出すことができる。
【００２０】
システム１１０および電力管理システム１００の電源がオンになった後、制御ユニット１１４が、システム１１０の電力供給の管理とバッテリパック１０４の充電プロセスとを開始する。電力管理システム１００およびシステム１１０の電源がオンになれば、制御ユニット１１４の制御の下で、ＮＭＯＳスイッチ１０６および１０８を完全にオンにすることができる。ＮＭＯＳスイッチのオン状態の抵抗は比較的小さいことがあるので、通電中のＮＭＯＳスイッチにかかる電圧降下は、そのボディーダイオードの通電閾値を超えないことがありうる。その結果として、ボディーダイオードは、有効な電流を通さない可能性がある。従って、システム１１０の電源がオンになった後、ＡＣＤＣアダプタ１０２および／またはバッテリパック１０４によって生成される電流は、ボディーダイオード１０６−１および／または１０８−１を通って流れないことがありうる。
【００２１】
一実施形態では、制御ユニット１１４は、ＡＣＤＣアダプタ１０２およびバッテリパック１０４のステータスを監視することができる。図１に示すように、制御ユニット１１４は、３つの検出端子１１４−３、１１４−４、１１４−５を有している。一実施形態では、検出端子１１４−３は、ＮＭＯＳスイッチ１０６のドレイン端子に接続されている。検出端子１１４−４は、共通ノード１１６に接続されている。検出端子１１４−５は、ＮＭＯＳスイッチ１０８のドレイン端子に接続されている。検出端子１１４−３、１１４−４、１１４−５を介して、例えば、Ｖａｄ、ＶＳＹＳ（システム１１０の入力電圧）、Ｖｂａｔｔのような情報を監視することができる。さらに、検出抵抗器１１８および１２０についての電圧降下、および、検出抵抗器１１８および１２０を通して流れる電流も、検出端子１１４−３、１１４−４、１１４−５からの監視された情報によって得ることができる。例えば、ＮＭＯＳスイッチ１０６を通って流れる電流は、検出抵抗器１１８にかかる電圧降下（Ｖａｄ−ＶＳＹＳ）を検出抵抗器１１８の抵抗で除することによって測定することができる。
【００２２】
一実施形態では、ＡＣＤＣアダプタ１０２およびバッテリパック１０４のステータスに従って、制御ユニット１１４は、指定の作動モードに入り、複数の制御信号を生成する。
【００２３】
バッテリパック１０４が電圧不足状態であることを制御ユニット１１４が検出した場合、制御ユニット１１４は、充電動作モードに入ってもよく、その場合、ＡＣ／ＤＣアダプタ１０２は、システム１１０に電力供給して、バッテリパック１０４を充電する。充電動作モードでは、電圧レベルＶ１を有するスイッチ制御信号１１４−１および１１４−２が、制御ユニット１１４によって生成される。スイッチ制御信号１１４−１および１１４−２を受信した時点で、電圧レベルＶｏｎ１およびＶｏｎ２を有する駆動信号１１２−１および１１２−２が生成され、それらが次に、ＮＭＯＳスイッチ１０６および１０８をオンにする。また、さらに、ＡＣ／ＤＣアダプタ制御信号１１４−６が、制御ユニット１１４によって生成されてもよい。一実施形態では、ＡＣＤＣアダプタ制御信号１１４−６は、システム１１０の電力要求条件およびバッテリパック１０４の充電電力要求条件を満たすため、ＡＣ／ＤＣアダプタ１０２の出力（例えば出力電流、出力電圧、および／または出力電力）を調整してもよい。充電動作モードでは、ＡＣ／ＤＣアダプタ１０２の出力電流は、ＮＭＯＳスイッチ１０６を通って共通ノード１１６まで流れる。次いで、充電電流ＩＣＨＡＲＧＥが、ＮＭＯＳスイッチ１０８を通ってバッテリパック１０４まで流れ、そして、システム電流ＩＳＹＳが、システム１１０まで流れる。
【００２４】
一実施形態では、バッテリパック１０４がフル充電されたことを制御ユニット１１４が検出するまで、充電動作モードが続く。次いで、一実施形態では、制御ユニット１１４が動作モードに入り、その場合、アダプタ１０２がシステム１１０に電力供給する。動作モードでは、制御ユニット１１４がＮＭＯＳスイッチ１０８をオフにしてＮＭＯＳスイッチ１０６をオンにすることにより、ＩＳＹＳと等しい電流がＮＭＯＳスイッチ１０６を通ってシステム１１０まで流れる。ＮＭＯＳスイッチ１０８はオフにされ、それによって今度は、バッテリパック１０４の過充電状態が回避される。
【００２５】
一実施形態では、ＡＣ／ＤＣアダプタ１０２が利用できない場合には、システム１１０および電力管理システム１００の適切な動作を維持するため、電力管理デバイス１００は放電モードに入る。放電モードでは、制御ユニット１１４は、ＮＭＯＳスイッチ１０６をオフにしてＮＭＯＳスイッチ１０８をオンにする。従って、バッテリパック１０４によってシステム１１０に電力供給することができる。
【００２６】
加えて、システム１１０の電力要求条件がＡＣ／ＤＣアダプタ１０２の設計電力定格を上回った場合、電力管理システム１１０は、重負荷モードに入る。重負荷モードでは、制御ユニット１１４は、ＮＭＯＳスイッチ１０６および１０８をオンにするためのスイッチ制御信号１１４−１および１１４−２を生成することができる。従って、システム１１０は、同時にＡＣ／ＤＣアダプタ１０２とバッテリパック１０４とによって電力供給されることができる。また、システム１１０の適切な動作を維持するのに十分な電力を提供するために、スイッチ制御信号１１４−１および１１４−２に加えて、制御ユニット１１４はＡＣ／ＤＣアダプタ１０２の出力を調整することもできる。
【００２７】
一実施形態では、有利には、ＮＭＯＳスイッチは、同じサイズのＰＭＯＳスイッチよりオン状態の抵抗が実質的に小さい可能性があるため、ＮＭＯＳスイッチ１０６および１０８によってもたらされる電力損失を減らすことができる。電力管理システム１００の各動作モードにおける各ＮＭＯＳスイッチに関する電力損失は、判定することができる。例えば、各ＮＭＯＳスイッチのオン状態の抵抗が１０ミリオーム（ｍΩ）であると仮定すると、電力管理システム１００は、充電動作モードで作動する（例えば、ＩＳＹＳ＝４Ａ、ＩＣＨＡＲＧＥ＝３Ａで、ＡＣ／ＤＣアダプタ１０２の出力電圧は１２Ｖ）。ゆえに、ＮＭＯＳスイッチ１０６に関する電力損失は、およそ０．４９Ｗである（１０ｍΩ×（４Ａ＋３Ａ）２＝０．４９Ｗ）。ＮＭＯＳスイッチ１０８に関する電力損失は、およそ０．０９Ｗである（１０ｍΩ×（３Ａ）２＝０．０９Ｗ）。従って、ＮＭＯＳスイッチ１０６および１０８に関する総電力損失は、およそ０．５８Ｗである。結果として、一実施形態では、電力管理システム１００において、ＮＭＯＳスイッチ１０６および１０８に関する電力損失は、電力管理システム１００の電力転送効率が０．７％減少するだけである。有利には、複数のＮＭＯＳスイッチが用いられた場合、これらのＮＭＯＳスイッチは、電力管理システム１００の電力転送効率を大幅に増大させることができる。さらに、ＮＭＯＳスイッチに関する電力損失は減少するため、全体的な性能と安定性とを高めることができる。
【００２８】
図３は、別の実施形態による、ＮＭＯＳスイッチと、駆動回路と、ＤＣ／ＤＣコンバータとが用いられている電力管理システム３００の一例のブロック図である。電力管理システム３００は、システム３２６に電力を提供すると同時に、各種の電池を含みうるバッテリパック３０４を充電するようにも動作可能である。図３に示すように、一実施形態では、電力管理システム３００は、２つのＮＭＯＳスイッチ３０６および３０８と、制御ユニット３１０と、駆動回路３１２と、ＤＣ／ＤＣコンバータ３１４とを含んでいる。ＮＭＯＳスイッチ３０６および３０８は、一実施形態では、電源３０２、例えばＡＣ／ＤＣアダプタおよび／または充電式バッテリパック３０４からシステム３２６までの電力供給を制御するように動作可能である。電力管理システム３００は、電力管理システム１００と同様の機能性を有する。
【００２９】
一実施形態では、ＮＭＯＳスイッチ３０６のソース端子が、電源３０２の出力端子に接続されている。ＮＭＯＳスイッチ３０６のドレイン端子は、検出抵抗器３２０を介して共通ノード３２４に接続されている。ＮＭＯＳスイッチ３０８のソース端子とドレイン端子とはそれぞれ、充電式バッテリパック３０４の出力端子と共通ノード３２４とに接続されている。図３に示すように、一実施形態では、ＤＣ／ＤＣコンバータ３１４は、共通ノードと、充電式バッテリパック３０４の出力に一端を接続された検出抵抗器３２２との間に接続されている。
【００３０】
一実施形態では、制御ユニット３１０は、４つの検出端子３１０−１、３１０−２、３１０−３、３１０−４を有している。図３に示すように、検出端子３１０−１乃至３１０−４はそれぞれ、ＮＭＯＳスイッチ３０６のドレイン端子、共通ノード３２４、ＤＣ／ＤＣコンバータの出力端子、および充電式バッテリパック３０４の出力端子に接続されている。一実施形態では、電源３０２および充電式バッテリパック３０４のステータスを検出することによって、制御ユニット３１０は、ＮＭＯＳスイッチ３０６および３０８のコンダクタンスステータスを制御することができる。
【００３１】
一実施形態では、充電式バッテリパック３０４が電圧不足状態であることを制御ユニット３１０が検出した場合、制御ユニット３１０は、ＮＭＯＳスイッチ３０６をオンにしてＮＭＯＳスイッチ３０８をオフにしてもよい。ＤＣ／ＤＣコンバータ３１４は、電源３０２の出力電圧を受け取って、それをバッテリパック３０４を充電するのに適した電圧に変換する。変換された電圧は、さらに、充電式バッテリパック３０４を充電するのに用いられてもよい。ＤＣ／ＤＣコンバータ３１４には、降圧型コンバータ、昇圧型コンバータ、または降圧−昇圧コンバータが含まれうるが、それらに限定されない。例えば、電源３０２の出力電圧レベルが、充電式バッテリパック３０４が必要とする充電電圧より低い場合、昇圧型コンバータが用いられてもよい。また、電源３０２の出力電圧レベルがバッテリパック３０４の最大充電電圧より高い場合、降圧型コンバータが用いられてもよい。有利には、電力管理システム３００は、電力転送効率を高め、そして、各種の電源および充電式バッテリパックと共に用いられてもよい。
【００３２】
図４は、本発明の一実施形態による、システムへの電力供給を制御するための方法のフローチャートである。ブロック４００では、システムへの電力供給を制御するため、システムのステータスが監視されてもよい。一実施形態では、ブロック４０２で、システムの入力電流（または電圧）およびシステム内のバッテリパックの出力電圧が監視されてもよい。監視されたシステムのステータスに従って、システムの電力要求条件が判定されてもよい。ブロック４０４では、システムの電力要求条件が満たされている場合、システムのステータスがさらに監視されてもよい。システムの電力要求条件が満たされていない場合、ブロック４０６で複数の制御信号が生成および／または調整されてもよい。一実施形態では、前述の複数の制御信号は、複数のＮＭＯＳスイッチのコンダクタンスステータスを制御するのに用いられうる複数のＮＭＯＳスイッチ制御信号であってもよい。一実施形態では、前述の複数のＮＭＯＳスイッチの各々は、電源とシステムとの間に接続されてもよい。システムに十分な電力を提供するため、複数のＮＭＯＳスイッチ制御信号を用いて、１つ以上のＮＭＯＳスイッチがオンにされてもよい。ブロック４０８では、前述の複数の制御信号がさらに、ＮＭＯＳスイッチを完全にオン／オフにするのに適した駆動能力を有する駆動信号に変換されてもよい。一実施形態では、ＮＭＯＳスイッチを完全にオン／オフにするため、ＮＭＯＳスイッチ制御信号が、ＮＭＯＳスイッチの電源電圧より高い電圧レベルを有する駆動電圧に変換されてもよい。ブロック４１０では、複数の駆動信号を用いて、システムに十分な電力を提供するためにシステムの複数のＮＭＯＳスイッチが完全にオン／オフにされてもよい。一実施形態では、チャージポンプユニットを含む駆動回路を用いて、複数の制御信号が複数の駆動信号に変換されてもよい。ブロック４１２では、複数のＮＭＯＳスイッチのコンダクタンスステータスを制御することに加えて、複数の電源の出力（例えば出力電力、出力電流または出力電圧）を制御するため、複数の電源出力制御信号が生成されてもよい。一実施形態では、電源出力制御信号が、電源の出力電圧を調整してもよい。ブロック４１４で、複数の出力制御信号を用いて、システムに供給される出力電力が、システムの電力要求条件に従って調整されてもよい。
【００３３】
一実施形態では、電力管理システムは、電力を選択するための電力選択スイッチと、電力管理システムの電力変換を制御するために高圧側スイッチと低圧側スイッチとを交互にオンにする制御器とを含んでいる。そのような一実施形態では、電力選択スイッチと、制御器と、高圧側スイッチと、低圧側スイッチとが、１つのパッケージに統合されている。電力選択スイッチと高圧側スイッチとは、共通ノードを共有しており、従って、それらはパッケージの１つのピンを共有することができる。有利には、共通ノードを共有することによって、スイッチと制御器とを、よりコンパクトにパッケージに統合することができる。加えて、電力管理システムのためのプリント基板のサイズ、コスト、電力消費を削減することができる。
【００３４】
図５は、本発明の一実施形態による、電力管理システム５００の一例の回路図である。電力管理システム５００は、アダプタ５０４と、電力制御回路部５０２と、バッテリパック５１０と、システム負荷５３４とを有する。バッテリパック５１０は、リチウムイオン電池、ニッケルカドミウム電池、鉛酸蓄電池、太陽電池など、いずれかのタイプの充電式バッテリを含みうる。電力制御回路部５０２は、アダプタ５０４とバッテリパック５１０とシステム負荷５３４との間の電力フローを制御する。
【００３５】
図５に示すように、電力制御回路部５０２は、第１のスイッチ５１２（例えば電力選択スイッチ）と、第２のスイッチ５１４（例えば電力選択スイッチ）と、第３のスイッチ５１６（例えば高圧側スイッチ）と、第４のスイッチ５１８（例えば低圧側スイッチ）とを含んでいる。第１のスイッチ５１２は、第１の転送端子５１２Ａ（例えばドレインまたはソース）と、転送端子５１２Ｂ（例えばソースまたはドレイン）と、制御端子５１２Ｇ（例えばゲート）と、ボディーダイオード５２２とを含んでいる。第２のスイッチ５１４は、第２の転送端子５１４Ａ（例えばドレインまたはソース）と、転送端子５１４Ｂ（例えばソースまたはドレイン）と、制御端子５１４Ｇ（例えばゲート）と、ボディーダイオード５２４とを含んでいる。第３のスイッチ５１６は、第３の転送端子５１６Ａ（例えばドレインまたはソース）と、転送端子５１６Ｂ（例えばソースまたはドレイン）と、制御端子５１６Ｇ（例えばゲート）と、ボディーダイオード５２６とを含んでいる。第１の転送端子５１２Ａと第２の転送端子５１４Ａと第３の転送端子５１６Ａとは、共通ノード５３０に接続されている。また、ボディーダイオード５２２、５２４、５２６の各陰極も、共通ノード５３０に接続されている。加えて、第４のスイッチ５１８は、第３のスイッチ５１６の転送端子５１６Ｂに陰極が接続されたボディーダイオード５２８を含んでいる。第１のスイッチ５１２と第２のスイッチ５１４とは、異なる電源、例えばアダプタ５０４およびバッテリパック５１０から電力を選択するのに用いられてもよい。第３のスイッチ５１６と第４のスイッチ５１８とは、電力を変換するのに用いられてもよい。電力制御回路部５０２はさらに、スイッチ５１２、５１４、５１６、５１８を制御するためにスイッチ５１２、５１４、５１６、５１８の制御端子に接続された制御器５２０を含んでいる。
【００３６】
制御器５２０は、第１のスイッチ５１２が電力をアダプタ５０４からシステム負荷５３４まで共通ノード５３０を介して転送するように、スイッチ５１２、５１４、５１６、５１８を制御することができる。例えば、制御器５２０は、第１のスイッチ５２０をオンにしてスイッチ５１４、５１６、５１８をオフにする。従って、アダプタ５０４からの供給電流が、第１のスイッチ５１２および共通ノード５３０を通ってシステム負荷５３４まで流れることができる。また、制御器５２０は、第２のスイッチ５１４が電力をバッテリパック５１０からシステム負荷５３４まで共通ノード５３０を介して転送するように、スイッチ５１２、５１４、５１６、５１８を制御することができる。例えば、制御器５２０は、第２のスイッチ５１４をオンにしてスイッチ５１２、５１６、５１８をオフにする。従って、バッテリパック５１０からの供給電流は、第２のスイッチ５１４および共通ノード５３０を通ってシステム負荷５３４まで流れることができる。また、制御器５２０は、スイッチ５１２および５１４をオンにしてスイッチ５１６および５１８をオフにすることができる。従って、アダプタ５０４とバッテリパック５１０とが並行して、共通ノード５３０を介してシステム負荷５３４に電力供給することができる。
【００３７】
また、制御器５２０は、第１のスイッチ５１２および第２のスイッチ５１４が、共通ノード５３０を介してバッテリパック５１０を充電するために電力をアダプタ５０４から転送するように、スイッチ５１２、５１４、５１６、５１８を制御することができる。例えば、制御器５２０は、第２のスイッチ５１４をオンにしてスイッチ５１２、５１６、５１８をオフにする。アダプタ５０４からの充電電流は、第１のスイッチ５１２のボディーダイオード５２２と、共通ノード５３０と、第２のスイッチ５１４のドレイン−ソースチャネルとを通ってバッテリパック５１０まで流れることができる。別の例では、制御器５２０は、スイッチ５１２および５１４をオンにしてスイッチ５１６および５１８をオフにする。アダプタ５０４からの充電電流は、第１のスイッチ５１２のボディーダイオード５２２とドレイン−ソースチャネルとを両方通って、共通ノード５３０を通って、第２のスイッチ５１４のドレイン−ソースチャネルを通って、バッテリパック５１０まで流れることができる。
【００３８】
加えて、制御器５２０と、スイッチ５１６および５１８と、誘導器５０６と、キャパシタ５０８とが、直流から直流への（ＤＣ／ＤＣ）変換回路部として、例えば、降圧回路、昇圧回路、または降圧−昇圧回路として動作してもよい。制御器５２０は、負荷サイクルを用いて周期的に第３のスイッチ５１６をオンにすることによって、ＤＣ／ＤＣ変換回路部によって行われる電力変換を制御してもよい。また、制御器５２０は、第３のスイッチ５１６の負荷サイクルを調整することによって、電力管理システム５００の出力電力、例えば共通ピン５３２（Ｐ３と示した）での出力電力またはピンＰ４での出力電力を、調整してもよい。
【００３９】
詳細には、一実施形態では、制御器５２０がスイッチ５１２、５１４、５１６を制御することにより、例えば降圧変換回路として動作する変換回路部が、例えばバッテリパック５１０を充電するために入力電力、例えば入力電圧および／または入力電流を、アダプタ５０４から共通ノード５３０を介して受信し、そして入力電力を出力電力に、例えば出力電圧および／または出力電流に変換する。制御器５２０は、第１のスイッチ５１２をオンにして第２のスイッチ５１４をオフにし、そして、パルス幅変調（ＰＷＭ）信号を生成してスイッチ５１６および５１８を交互にオンにしてもよい。制御器５２０は、ＰＷＭ信号の負荷サイクル、例えば第３のスイッチ５１６の負荷サイクルを増やすことによって、バッテリパック５１０への出力電力を増やしてもよいし、あるいは、負荷サイクルを減らすことによって出力電力を減らしてもよい。別の実施形態では、制御器５２０がスイッチ５１２、５１４、５１６、５１８を制御することにより、例えば昇圧変換回路として動作する変換回路部が、入力電力、例えば入力電圧および／または入力電流を、バッテリパック５１０から受信し、そして入力電力を出力電力に、例えば出力電圧および／または出力電流に変換して、共通ノードを介して出力電力をシステム負荷５３４に転送する。制御器５２０は、スイッチ５１２、５１４をオフにし、そして、パルス幅変調（ＰＷＭ）信号を生成してスイッチ５１６および５１８を交互にオンにする。制御器５２０はＰＷＭ信号の負荷サイクル、例えば第３のスイッチ５１６の負荷サイクルを増やすことによって、システム負荷５３４への出力電力を減らしてもよいし、あるいは、負荷サイクルを減らすことによって出力電力を増やしてもよい。
【００４０】
一実施形態では、スイッチ５１２、５１４、５１６、５１８と制御器５２０とが、１つのパッケージに統合されている。第１のスイッチ５１２の第１の転送端子５１２Ａと、第２のスイッチ５１４の第２の転送端子５１４Ａと、第３のスイッチ５１６の第３の転送端子５１６Ａとが、共通ノード５３０に直接接続されている。詳細には、第１の転送端子５１２Ａと共通ノード５３０との間の抵抗ＲＴＣ１と、第２の転送端子５１４Ａと共通ノード５３０との間の抵抗ＲＴＣ２と、第３の転送端子５１６Ａと共通ノード５３０との間の抵抗ＲＴＣ３とは、実質的にゼロに等しい。本明細書で用いられる「実質的にゼロに等しい」とは、共通ノード５３０と転送端子５１２Ａ、５１４Ａ、５１６Ａとの間の抵抗が比較的小さくて、無視できることを意味する。一例として、スイッチ５１２、５１４、および５１６、例えば金属酸化膜半導体電界効果トランジスタ（ＭＯＳＦＥＴ）は、同じ半導体回路基板、例えばｎタイプ回路基板上に製作することができる。半導体回路基板は、転送端子５１２Ａ、５１４Ａ、５１６Ａ、例えばスイッチ５１２、５１４、５１６のドレインを含んでおり、また共通ノード５３０も含んでいる。この例では、抵抗ＲＴＣ１と、ＲＴＣ２と、ＲＴＣ３とは、ゼロであるか、実質的にゼロに等しいと考えられる。別の例では、転送端子５１２Ａ、５１４Ａ、または５１６Ａは、結合線、例えば金属線、金線、アルミニウム線などを介して共通ノード５３０に接続されている。この例でも、抵抗ＲＴＣ１と、ＲＴＣ２と、ＲＴＣ３とは、ゼロであるか、実質的にゼロに等しいと考えられる。
【００４１】
有利には、例えば電力を選択するための第１のスイッチ５１２と、例えば電力を選択するための第２のスイッチ５１４と、例えば電力を変換するための第３のスイッチ５１６とは、共通ノード５３０を共有している。従って、電力制御回路部５０２の中の回路、例えば制御器５２０およびスイッチ５１２、５１４、５１６、５１８は、一層コンパクトにパッケージとして統合することができる。加えて、第１のスイッチ５１２と、第２のスイッチ５１４と、第３のスイッチ５１６とは、共通ピン５３２を共有している。従って、電力制御回路部５０２のためのプリント基板のサイズは、減らすことができる。また、電力制御回路部５０２についてのコストおよび電力消費も減らすことができる。
【００４２】
図６Ａは、本発明の一実施形態による、スイッチ（例えばスイッチ５１２、５１４、５１６）および共通ノード５３０の例である配線図の符号６３６Ａおよび６３８Ａを図示している。図６Ａは、図５と組み合わせて記述する。符号６３６Ａは、スイッチの断面を示す図である。符号６３８Ａは、スイッチの回路モデルを示す図である。符号６３６Ａのスイッチは、垂直チャネルＵ型ＭＯＳＦＥＴであるが、本発明はそれに限定されない。スイッチは、例えばＵ型ＭＯＳＦＥＴ、Ｖ型ＭＯＳＦＥＴ、二重拡散型ＭＯＳＦＥＴなど、いかなるタイプの垂直チャネルＭＯＳＦＥＴであってもよい。また、スイッチは、表面チャネルＭＯＳＦＥＴであってもよい。
【００４３】
一実施形態では、スイッチは、ｎチャネルＭＯＳＦＥＴ（ＮＭＯＳＦＥＴ）である。詳細には、符号６３６Ａおよび６３８Ａに示すように、「Ｄ」と示した端子がドレインを表し、「Ｓ」と示した端子がソースを表し、「Ｇ」と示した端子がゲートを表す。スイッチには、ｎ型半導体ウェル６４０（以下、本明細書ではｎ−ウェル６４０）と、ｐ型半導体ウェル６４２（以下、本明細書ではｐ−ウェル６４２）と、ｎ型半導体レイヤ６４４（以下、本明細書ではｎ−レイヤ６４４）と、ｎ型半導体基板６４６（以下、本明細書ではｎ−基板６４６）とが含まれる。スイッチの閾値電圧より高いゲート‐ソース電圧が端子ＧおよびＳに適用される時、ｎ−ウェル６４０がｎ−レイヤ６４４に接続される。従って、ｎ−ウェル６４０とｎ−レイヤ６４４とｎ−基板６４６とが、ｎ型半導体チャネル（ｎチャネル）を形成する。
【００４４】
加えて、ｐ−ウェル６４２とｎ−レイヤ６４４とがボディーダイオードを形成し、ボディーダイオードの陰極がｎ−基板６４６に接続される。従って、そのような一実施形態では、ｎ−基板６４６が共通ノード５３０に接続される。
【００４５】
図６Ｂは、本発明の別の実施形態による、スイッチ（例えばスイッチ５１２、５１４、５１６）および共通ノード５３０の例である配線図の符号６３６Ｂおよび６３８Ｂを図示している。図６Ｂは、図５と組み合わせて記述する。符号６３６Ｂは、スイッチの断面を示す図である。符号６３８Ｂは、スイッチの回路モデルを示す図である。符号６３６Ｂのスイッチは、垂直チャネルＵ型ＭＯＳＦＥＴであるが、本発明はそれに限定されない。スイッチは、例えばＵ型ＭＯＳＦＥＴ、Ｖ型ＭＯＳＦＥＴ、二重拡散型ＭＯＳＦＥＴなど、いかなるタイプの垂直チャネルＭＯＳＦＥＴであってもよい。また、スイッチは、表面チャネルＭＯＳＦＥＴであってもよい。
【００４６】
一実施形態では、スイッチは、ｐチャネルＭＯＳＦＥＴ（ＰＭＯＳＦＥＴ）である。詳細には、符号６３６Ｂおよび６３８Ｂに示すように、「Ｄ」と示した端子がドレインを表し、「Ｓ」と示した端子がソースを表し、「Ｇ」と示した端子がゲートを表す。スイッチには、ｐ−ウェル６５０と、ｎ−ウェル６５２と、ｐ−レイヤ６５４と、ｐ−基板６５６とが含まれる。スイッチの閾値電圧より低いゲート‐ソース電圧が端子ＧおよびＳに適用される時、ｐ−ウェル６５０がｐ−レイヤ６５４に接続される。従って、ｐ−ウェル６５０とｐ−レイヤ６５４とｐ−基板６５６とが、ｐ型半導体チャネル（ｐチャネル）を形成する。
【００４７】
加えて、ｎ−ウェル６５２とｐ−レイヤ６５４とがボディーダイオードを形成し、ボディーダイオードの陰極がｐ−ウェル６５０に接続される。従って、そのような一実施形態では、ｐ−ウェル６５０が共通ノード５３０に接続される。
【００４８】
図７は、本発明の一実施形態による、電力制御回路部５０２‘の一例の配線図である。図７は、図５および図６Ａと組み合わせて記述する。一実施形態では、電力制御回路部５０２’の構造が、電力制御回路部５０２に適用される。一実施形態では、制御器５２０およびスイッチ５１２、５１４、５１６、５１８が、パッケージに統合され、例えば、非導電基板７６０に接続またははんだ付けされる。
【００４９】
図７の例では、第１のスイッチ５１２と、第２のスイッチ５１４と、第３のスイッチ５１６とは、ＮＭＯＳＦＥＴであり、図６Ａに示す構造と同様の構造を有しうる。従って、第１のスイッチ５１２と、第２のスイッチ５１４と、第３のスイッチ５１６とは、共通の半導体基板７３０、例えばｎ型半導体基板上に製作されてもよい。この例では、半導体基板７３０は、第１のスイッチ５１２の第１の転送端子５１２Ａ、例えばドレインと、第２のスイッチ５１４の第２の転送端子５１４Ａ、例えばドレインと、第３のスイッチ５１６の第３の転送端子５１６Ａ、例えばドレインとを含んでいる。また、半導体基板７３０は、共通ノード５３０も含んでいる。
【００５０】
詳細には、図７に示すように、第１のスイッチ５１２のソースは５１２Ｓと示され、第１のスイッチ５１２のゲートは５１２Ｇと示されている。第２のスイッチ５１４のソースは５１４Ｓと示され、第２のスイッチ５１４のゲートは５１４Ｇと示されている。第３のスイッチ５１６のソースは５１６Ｓと示され、第３のスイッチ５１６のゲートは５１６Ｇと示されている。スイッチ５１２、５１４、５１６のドレインは、半導体基板７３０に含まれている。第１のスイッチ５１２のソース５１２Ｓは、例えばアダプタ５０４のための電力を転送するピンＰ１に接続されている。第２のスイッチ５１４のソース５１４Ｓは、例えばバッテリパック５１０のための電力を転送するピンＰ２に接続されている。第３のスイッチ５１６のソース５１６Ｓは、例えば電力制御回路部５０２のための電力を転送するピンＰ４に接続されている。制御器５２０は、スイッチ５１２、５１４、５１６を制御するためのゲート５１２Ｇ、５１４Ｇ、５１６Ｇに接続されている。さらに、半導体基板７３０は、例えば、結合線（例えば金属線、金線、アルミニウム線など）を介して、アダプタ５０４、バッテリパック５１０、電力制御回路部５０２、およびシステム負荷５３４のための電力を転送する共通ピン５３２に接続されている。
【００５１】
有利には、第１のスイッチ５１２と、第２のスイッチ５１４と、第３のスイッチ５１６とは、半導体基板を共有する。電力制御回路部５０２’は、一層コンパクトに統合することができる。プリント基板のサイズだけでなくコストおよび電力消費もさらに削減される。
【００５２】
図８Ａ乃至８Ｄは、本発明のその他の実施形態による、電力制御回路部の例５０２Ａ、５０２Ｂ、５０２Ｃ，５０２Ｄの配線図である。図８Ａ乃至８Ｄについて、図５、図６Ａおよび図６Ｂと組み合わせて記述する。
【００５３】
図８Ａの例において、第１のスイッチ５１２および第２のスイッチ５１４はＮＭＯＳＦＥＴであり、第３のスイッチ５１６はＰＭＯＳＦＥＴである。第１のスイッチ５１２および第２のスイッチ５１４は、スイッチ５１２および５１４の例えばドレインである転送端子５１２Ａおよび５１４Ａを含めて、共通の半導体基板８３２上に製作することができる。半導体基板８３２は、結合線を介して、共通ピン５３２、例えば共通ノード５３０に接続されている。また、第３のスイッチ５１６のソース５１６Ｓも、結合線を介して、共通ピン５３２、例えば共通ノード５３０に接続されている。加えて、第１のスイッチ５１２のソース５１２ＳはピンＰ１に接続され、第１のスイッチ５１２のソース５１４ＳはピンＰ２に接続され、第３のスイッチ５１６のドレイン、例えばｐ型半導体基板は、ピンＰ４に接続されている。
【００５４】
図８Ｂの例において、第２のスイッチ５１４および第３のスイッチ５１６はＮＭＯＳＦＥＴであり、第１のスイッチ５１２はＰＭＯＳＦＥＴである。第２のスイッチ５１４および第３のスイッチ５１６は、スイッチ５１４および５１６の例えばドレインである転送端子５１４Ａおよび５１６Ａを含めて、共通の半導体基板８３４上に製作することができる。半導体基板８３４は、結合線を介して、共通ピン５３２、例えば共通ノード５３０に接続されている。また、第１のスイッチ５１２のソース５１２Ｓも、結合線を介して、共通ピン５３２、例えば共通ノード５３０に接続されている。加えて、第１のスイッチ５１２のドレイン、例えばｐ型半導体基板は、ピンＰ１に接続され、第２のスイッチ５１４のソース５１４Ｓは、ピンＰ２に接続され、第３のスイッチ５１６のソース５１６Ｓは、ピンＰ４に接続されている。
【００５５】
図８Ｃの例において、第１のスイッチ５１２および第３のスイッチ５１６はＮＭＯＳＦＥＴであり、第２のスイッチ５１４はＰＭＯＳＦＥＴである。第１のスイッチ５１２および第３のスイッチ５１６は、スイッチ５１２および５１６の例えばドレインである転送端子５１２Ａおよび５１６Ａを含めて、共通の半導体基板８３６上に製作することができる。半導体基板８３６は、結合線を介して、共通ピン５３２、例えば共通ノード５３０に接続されている。また、第２のスイッチ５１４のソース５１４Ｓも、結合線を介して、共通ピン５３２、例えば共通ノード５３０に接続されている。加えて、第１のスイッチ５１２のソース５１２Ｓは、ピンＰ１に接続され、第３のスイッチ５１６のソース５１６Ｓは、ピンＰ４に接続され、第２のスイッチ５１４のドレイン、例えばｐ型半導体基板は、ピンＰ２に接続されている。
【００５６】
図８Ｄの例において、第１のスイッチ５１２、第２のスイッチ５１４、および第３のスイッチ５１６は、ＰＭＯＳＦＥＴである。ソース５１２Ｓ、５１４Ｓ、５１６Ｓはそれぞれ、結合線を介して、共通ピン５３２、例えば共通ノード５３０に接続されている。スイッチ５１２、５１４および第３のスイッチ５１６のドレイン、例えばｐ型半導体基板は、ピンＰ１、Ｐ２、Ｐ４にそれぞれ接続されている。
【００５７】
図９は、本発明の一実施形態による、電力管理システムについての製造ステップの例を示す図である。図９について、図５、図６Ａおよび６Ｂ、図７、図８Ａ、８Ｂ、８Ｃ、８Ｄと組み合わせて記述する。
【００５８】
ブロック９０２で、第１のスイッチ５１２の第１の転送端子５１２Ａが共通ノード５３０に接続される。ブロック９０４で、第２のスイッチ５１４の第２の転送端子５１４Ａが共通ノード５３０に接続される。ブロック９０６で、第３のスイッチ５１６の第３の転送端子５１６Ａが共通ノード５３０に接続される。
【００５９】
第３のスイッチ５１６は、例えば制御器５２０によって、周期的にオンにされることによって、電力変換を制御するように動作可能である。第１の転送端子５１２Ａと共通ノード５３０との間の抵抗ＲＴＣ１と、第２の転送端子５１４Ａと共通ノード５３０との間の抵抗ＲＴＣ２と、第３の転送端子５１６Ａと共通ノード５３０との間の抵抗ＲＴＣ３とは、実質的にゼロに等しい。
【００６０】
図１０は、本発明の一実施形態による、電力管理システム５００によって行われる動作の例を示す図である。図１０について、図５、図６Ａおよび６Ｂ、図７、図８Ａ、８Ｂ、８Ｃ、８Ｄと組み合わせて記述する。
【００６１】
ブロック１００２で、第１のスイッチ５１２が、第１のスイッチ５１２の第１の端子５１２Ａを介して電力を転送する。
【００６２】
ブロック１００４で、第２のスイッチ５１４が、第２のスイッチ５１４の第２の端子５１４Ａを介して電力を転送する。
【００６３】
ブロック１００６で、制御器５２０が、第３のスイッチ５１６を周期的にオンにすることによって、電力変換を制御する。詳細には、制御器５２０が、第３のスイッチ５１６と第４のスイッチ５１８とを交互に周期的にオンにすることによって、電力変換を制御する。第１の転送端子５１２Ａと、第２の転送端子５１４Ａと、第３の転送端子５１６Ａとが、共通ノード１１６に直接接続されている。言い換えると、第１の転送端子５１２Ａと共通ノード５３０との間の抵抗と、第２の転送端子５１４Ａと共通ノード５３０との間の抵抗と、第３の転送端子５１６Ａと共通ノード５３０との間の抵抗とは、実質的にゼロに等しい。
【００６４】
要約すると、本発明による諸実施形態が、電力管理システムを提供する。電力管理システムは、異なる電源から電力を選択するための第１のスイッチと第２のスイッチとを含んでいる。また、電力管理システムは、電力を変換するための第３のスイッチと第４のスイッチとを含んでいる。第１、第２、および第３のスイッチは、共通ノード／ピンを共有しているため、ＰＣＢサイズ、コスト、電力消費が削減される。ボディーダイオードがスイッチの中に存在しているため、スイッチを、スイッチのタイプに応じて異なるかたちでパッケージとして統合することができる。第１、第２、および第３のスイッチがＮＭＯＳＦＥＴである場合、それらを、共通の半導体基板、例えば共通ノード上に製作することができる。第１、第２、第３のスイッチのうちの１つがＰＭＯＳＦＥＴである場合、そのスイッチは他の２つのスイッチと切り離されてもよく、スイッチの半導体ウェル、例えばｐ−ウェルが、結合線によって共通ノードに接続されてもよい。電力管理システムは、例えば携帯用メディアプレーヤ、携帯電話、携帯用コンピュータ、電気自動車のような、多くの用途で用いることができる。
【００６５】
前述の記述および図面は本発明の実施形態を表すものだが、各種の付加形態、修正形態、代替形態が、添付の請求項の中で定義される本発明の原理の精神と範囲とから逸脱することなく本発明の中で行われうることは理解されるであろう。特定の環境や動作要件に具体的に適合された、本発明の実施において用いられる形態、構造、装置、割合、材料、要素、コンポ―ネント、その他の多くの修正と共に、本発明の原理から逸脱することなく本発明が用いられうることを、当業者であれば理解するであろう。従って、本開示による実施形態は、あらゆる点で例示的であって限定的ではないと考えられるべきであり、本発明の範囲は、添付の請求項およびそれらの法的均等物によって示されており、前述の記述に限定されない。
【符号の説明】
【００６６】
１０２  ＡＣＤＣアダプタ
１１２−１  駆動信号
１１２−２  駆動信号
１１４  制御ユニット
１１４−１  スイッチ制御信号
１１４−２  スイッチ制御信号
１２２  チャージポンプユニット
１２４−１  駆動器
１２４−２  駆動器
３０２  ＡＣＤＣアダプタ
３１０  制御ユニット
３１４  ＤＣＤＣコンバータ
５０４  アダプタ
５２０  制御器
５３４  システム負荷
【図１】
0005520984.tif 000002
【図２】
0005520984.tif 000003
【図３】
0005520984.tif 000004
【図４】
0005520984.tif 000005
【図５】
0005520984.tif 000006
【図６Ａ】
0005520984.tif 000007
【図６Ｂ】
0005520984.tif 000008
【図７】
0005520984.tif 000009
【図８Ａ】
0005520984.tif 000010
【図８Ｂ】
0005520984.tif 000011
【図８Ｃ】
0005520984.tif 000012
【図８Ｄ】
0005520984.tif 000013
【図９】
0005520984.tif 000014
【図１０】
0005520984.tif 000015